(57)【要約】      （修正有）【課題】ページめくり動作を行ない易い電子書籍を提供する。【解決手段】電子書籍１は、第１の液晶表示パネル４を有する第１の本体２と、ヒンジ部１８によって第１の本体２に見開き可能に結合されると共に第２の液晶表示パネル５を有する第２の本体３とを備える。第１の把持領域８に近接する位置に、第１の液晶表示パネル４によって表示される例えば第１ページを第３ページに変更すると共に、第２の液晶表示パネル５によって表示される第２ページを第４ページに変更する第１のページ大変更手段１０が設けられる。第２の把持領域９に近接すると共に、第２の横側領域７Ａのうち第２の把持領域９よりも上側に、第１の液晶表示パネル４によって表示される例えば第３ページを第１ページに変更すると共に、第２の液晶表示パネル５によって表示される第４ページを第２ページに変更する第２のページ大変更手段１１が設けられる。【選択図】図１
2010256963.tif 000002
【特許請求の範囲】
【請求項１】
第１の情報表示手段を有する第１の本体と、
該第１の本体に見開き可能に結合されると共に、第２の情報表示手段を有する第２の本体とを備え、
前記第１の本体は、前記第１の情報表示手段が位置する第１の表示領域と、該第１の表示領域の外側に位置する第１の枠領域とを有し、
前記第２の本体は、前記第２の情報表示手段が位置する第２の表示領域と、該第２の表示領域の外側に位置する第２の枠領域とを有し、
前記第１の枠領域のうち、前記第２の本体との結合部とは反対側の前記第１の表示領域の第１の横側領域に第１の把持領域が設けられ、
前記第２の枠領域のうち、前記第１の本体との結合部とは反対側の前記第２の表示領域の第２の横側領域に第２の把持領域が設けられ、
前記第１の把持領域に近接する位置に、前記第１の情報表示手段によって表示される第ｎ（ｎは自然数）ページを第（ｎ＋２）ページに変更すると共に、前記第２の情報表示手段によって表示される第（ｎ＋１）ページを第（ｎ＋３）ページに変更する第１のページ大変更手段が設けられ、
前記第２の把持領域に近接すると共に、前記第２の横側領域のうち、前記第１の把持領域に対する前記第１のページ大変更手段の位置と同じ側に、前記第１の情報表示手段によって表示される第ｋ（ｋは３以上の整数）ページを第（ｋ−２）ページに変更すると共に、前記第２の情報表示手段によって表示される第（ｋ＋１）ページを第（ｋ−１）ページに変更する第２のページ大変更手段が設けられる
電子書籍。
【請求項２】
前記第１の把持領域及び前記第２の把持領域それぞれに貫通孔が形成される
請求項１に記載の電子書籍。
【請求項３】
前記第２の本体との結合部から前記第１の横側領域へ延びる前記第１の枠領域のうち、前記第１のページ大変更手段よりも前記第１の把持領域に近い領域に、前記第１の情報表示手段によって表示される第ｎページを第（ｎ＋１）ページに変更すると共に、前記第２の情報表示手段によって表示される第（ｎ＋１）ページを第（ｎ＋２）ページに変更する第１のページ小変更手段が設けられ、
前記第１の本体との結合部から前記第２の横側領域へ延びる前記第２の枠領域のうち、前記第２のページ大変更手段よりも前記第２の把持領域に近い領域に、前記第１の情報表示手段によって表示される第ｋページを第（ｋ−１）ページに変更すると共に、前記第２の情報表示手段によって表示される第（ｋ＋１）ページを第ｋページに変更する第２のページ小変更手段が設けられる
請求項１または請求項２に記載の電子書籍。
【請求項４】
前記第１の情報表示手段及び前記第２の情報表示手段はそれぞれタッチパネル形式で操作可能に構成され、
前記第１の情報表示手段及び前記第２の情報表示手段はそれぞれ教科用図書に記載された内容を含む情報を表示する
請求項１〜３のいずれか１つに記載の電子書籍。
【発明の詳細な説明】
【技術分野】
【０００１】
本発明は電子書籍に関する。詳しくは、教科用図書の内容を表示する電子書籍に係るものである。
【背景技術】
【０００２】
インクを利用した印刷物ではなく、電子機器などのディスプレイを利用した機器で読むことができる電子書籍が知られている。
従来は紙などの媒体に印刷されていた書籍を、画像データや文字データの集合へと変換及び電子化することで、省スペース化や印刷コストの軽減、流通の簡便化が図られる。
また、電子書籍の普及によって、紙資源の消費を減らすことから、地球の緑化運動にも貢献すると考えられている。
【０００３】
例えば、特許文献１には、図３に示すような電子書籍装置の機能を搭載した電子表示装置が記載されている。即ち、特許文献１には、表示画面（１０２Ａ、１０２Ｂ）がそれぞれ嵌め込まれた２つの部材（１０３Ａ、１０３Ｂ）、ヒンジ部１０４、回動スイッチ１０５、操作スイッチ群１０６を有する電子表示装置１０１が記載されている。また、ヒンジ部１０４には、回動スイッチ１０５が設けられており、回動スイッチ１０５は、ヒンジ部１０４の端部を片手で保持したとき、その片手の指の届く範囲に配置されている。また、回動スイッチ１０５は、ページめくり機能を有する操作スイッチであり、ヒンジ部１０４の軸を中心として回動スイッチ１０５を左から右に回動させたり、右から左に回動させたりすることによって、表示画面（１０２Ａ、１０２Ｂ）の表示を次ページまたは前ページの表示に変更するページめくりの操作が可能である。
【先行技術文献】
【特許文献】
【０００４】
【特許文献１】特開２００３−１９６０１２号公報
【発明の概要】
【発明が解決しようとする課題】
【０００５】
特許文献1に記載の電子表示装置は、使用者がヒンジ部を片手で保持し、その保持した片手の指でスイッチ操作ができることを想定した構成としており、特に回動スイッチを、操作する指の届く範囲のヒンジ部に配置してあるが、教科書のように授業で指名されて起立した状態で読み上げるときは、電子表示装置の下方両端部を両手で支えて親指で押える形あるいはそれに近い形となるため、読み上げの途中でページをめくる動作が必要になると、保持している両手または片手を、一旦、ヒンジ部へ移動させなければならないという問題がある。特に、印刷物とは異なりある程度の重さがある装置なので、例えば低学年の児童のように比較的力が弱い者は、起立した状態で読み上げる場合、装置の下方両端部を両手で支えることが多く、ページめくり動作のたびに、一方の手で支えながら他方の手をヒンジ部へ移動させることは、低学年の児童にとって不便である。
【０００６】
本発明は、以上の点に鑑みて創案されたものであり、ページめくり動作を行ない易い電子書籍を提供することを目的とする。
【課題を解決するための手段】
【０００７】
上記の目的を達成するために、本発明の電子書籍は、第１の情報表示手段を有する第１の本体と、該第１の本体に見開き可能に結合されると共に、第２の情報表示手段を有する第２の本体とを備え、前記第１の本体は、前記第１の情報表示手段が位置する第１の表示領域と、該第１の表示領域の外側に位置する第１の枠領域とを有し、前記第２の本体は、前記第２の情報表示手段が位置する第２の表示領域と、該第２の表示領域の外側に位置する第２の枠領域とを有し、前記第１の枠領域のうち、前記第２の本体との結合部とは反対側の前記第１の表示領域の第１の横側領域に第１の把持領域が設けられ、前記第２の枠領域のうち、前記第１の本体との結合部とは反対側の前記第２の表示領域の第２の横側領域に第２の把持領域が設けられ、前記第１の把持領域に近接する位置に、前記第１の情報表示手段によって表示される第ｎ（ｎは自然数）ページを第（ｎ＋２）ページに変更すると共に、前記第２の情報表示手段によって表示される第（ｎ＋１）ページを第（ｎ＋３）ページに変更する第１のページ大変更手段が設けられ、前記第２の把持領域に近接すると共に、前記第２の横側領域のうち、前記第１の把持領域に対する前記第１のページ大変更手段の位置と同じ側に、前記第１の情報表示手段によって表示される第ｋ（ｋは３以上の整数）ページを第（ｋ−２）ページに変更すると共に、前記第２の情報表示手段によって表示される第（ｋ＋１）ページを第（ｋ−１）ページに変更する第２のページ大変更手段が設けられる。
【０００８】
ここで、第１の把持領域に近接する位置に、第１の情報表示手段によって表示される第ｎ（ｎは自然数）ページを第（ｎ＋２）ページに変更すると共に、第２の情報表示手段によって表示される第（ｎ＋１）ページを第（ｎ＋３）ページに変更する第１のページ大変更手段が設けられ、第２の把持領域に近接すると共に、第２の横側領域のうち、第１の把持領域に対する第１のページ大変更手段の位置と同じ側に、第１の情報表示手段によって表示される第ｋ（ｋは３以上の整数）ページを第（ｋ−２）ページに変更すると共に、第２の情報表示手段によって表示される第（ｋ＋１）ページを第（ｋ−１）ページに変更する第２のページ大変更手段が設けられることによって、使用者は、第１の把持領域及び第２の把持領域を把持しながら、例えば親指で、第１のページ大変更手段及び第２のページ大変更手段を操作することができる。
【０００９】
また、本発明の電子書籍において、第１の把持領域及び第２の把持領域それぞれに貫通孔が形成される場合、貫通孔に指を入れて電子書籍を把持することができるので、把持しやすい。
【００１０】
また、本発明の電子書籍において、第２の本体との結合部から第１の横側領域へ延びる第１の枠領域のうち、第１のページ大変更手段よりも第１の把持領域に近い領域に、第１の情報表示手段によって表示される第ｎページを第（ｎ＋１）ページに変更すると共に、第２の情報表示手段によって表示される第（ｎ＋１）ページを第（ｎ＋２）ページに変更する第１のページ小変更手段が設けられ、第１の本体との結合部から第２の横側領域へ延びる第２の枠領域のうち、第２のページ大変更手段よりも第２の把持領域に近い領域に、第１の情報表示手段によって表示される第ｋページを第（ｋ−１）ページに変更すると共に、第２の情報表示手段によって表示される第（ｋ＋１）ページを第ｋページに変更する第２のページ小変更手段が設けられる場合、使用者は、第１の把持領域及び第２の把持領域を把持しながら、例えば親指で、第１のページ小変更手段及び第２のページ小変更手段を操作することができると共に、印刷物の書籍であれば一つの紙の両面それぞれに印刷されているページでも、第１の情報表示手段と第２の情報表示手段とに並べて表示できるので、見やすくなる。
【００１１】
また、本発明の電子書籍において、第１の情報表示手段及び第２の情報表示手段はそれぞれタッチパネル形式で操作可能に構成され、第１の情報表示手段及び第２の情報表示手段はそれぞれ教科用図書に記載された内容を含む情報を表示する場合、使用者は、通常の教科書に印しをつけるような感覚で、第１の情報表示手段及び第２の情報表示手段に表示されたページに印しをつけることができる。
【発明の効果】
【００１２】
本発明に係る電子書籍は、ページめくり動作を行ない易い。
【図面の簡単な説明】
【００１３】
【図１】本発明の電子書籍を見開いた状態の一例を説明する概略図である。
【図２】本発明の電子書籍を折畳んだ状態の一例を説明する概略図である。
【図３】従来の電子表示装置を見開いた状態を示す概略図である。
【発明を実施するための形態】
【００１４】
以下、本発明の実施の形態について図面を参照しながら説明し、本発明の理解に供する。
図１は、本発明の電子書籍を見開いた状態の一例を説明する概略図である。図１において、本発明の電子書籍１は、第１の液晶表示パネル（第１の情報表示手段の一例である。）４を有する第１の本体２と、ヒンジ部１８によって第１の本体２に見開き可能に結合されると共に第２の液晶表示パネル（第２の情報表示手段の一例である。）５を有する第２の本体とを備える。
【００１５】
また、第１の本体２は、第１の液晶表示パネルが位置する第１の表示領域と、第１の表示領域の外側に位置する第１の枠領域６とを有する。
また、第２の本体３は、第２の液晶表示パネル５が位置する第２の表示領域と、第２の表示領域の外側に位置する第２の枠領域７とを有する。
【００１６】
また、第１の枠領域６のうち、第２の本体３との結合部即ちヒンジ部１８とは反対側の第１の表示領域の第１の横側領域６Ａに、貫通孔が形成された第１の把持領域８が設けられる。
また、第２の枠領域７のうち、第１の本体２との結合部即ちヒンジ部１８とは反対側の第２の表示領域の第２の横側領域７Ａに、貫通孔が形成された第２の把持領域９が設けられる。
【００１７】
また、第１の把持領域８に近接する位置に、第１の液晶表示パネル４によって表示される例えば第１ページを第３ページに変更すると共に、第２の液晶表示パネル５によって表示される第２ページを第４ページに変更する第１のページ大変更手段１０が設けられる。
また、第２の把持領域９に近接すると共に、第２の横側領域７Ａのうち、第１の把持領域８に対する第１のページ大変更手段１０の位置と同じ側即ち第２の把持領域９よりも上側に、第１の液晶表示パネル４によって表示される例えば第３ページを第１ページに変更すると共に、第２の液晶表示パネル５によって表示される第４ページを第２ページに変更する第２のページ大変更手段１１が設けられる。
【００１８】
ここで、第１の把持領域及び第２の把持領域には貫通孔が形成されているが、使用者が第１の本体や第２の本体を把持できるのであれば必ずしも貫通孔は形成されてなくてもよい。なお、貫通孔が形成されていれば、使用者は貫通孔に指を入れて電子書籍を把持することができるので、把持しやすくなり、好ましい。
【００１９】
また、第２の本体３との結合部即ちヒンジ部１８から第１の横側領域６Ａへ延びる第１の枠領域６のうち、第１のページ大変更手段１０よりも第１の把持領域８に近い領域（即ち、第１の下側領域６Ｂ）に、第１の液晶表示パネル４によって表示される例えば第１ページを第２ページに変更すると共に、第２の液晶表示パネル５によって表示される第２ページを第３ページに変更する第１のページ小変更手段１２が設けられる。
また、第１の本体２との結合部即ちヒンジ部１８から第２の横側領域７Ａへ延びる第２の枠領域７のうち、第２のページ大変更手段１１よりも第２の把持領域９に近い領域（即ち、第２の下側領域７Ｂ）に、第１の液晶表示パネル４によって表示される第３ページを第２ページに変更すると共に、第２の液晶表示パネル５によって表示される第４ページを第３ページに変更する第２のページ小変更手段１３が設けられる。
また、第１の本体２との結合部即ちヒンジ部１８から第２の横側領域７Ａへ延びる第２の枠領域７のうち、第２の把持領域９よりも第２のページ大変更手段１１に近い領域（即ち、第２の上側領域７Ｃ）に、電源のオン及びオフを行う電源スイッチ１７が設けられている。
【００２０】
また、第１の液晶表示パネル４及び第２の液晶表示パネル５はそれぞれタッチパネル形式で操作可能に構成される。
また、第１の液晶表示パネル４及び第２の液晶表示パネル５はそれぞれ教科用図書に記載された内容を含む情報を表示し、図１に示す例は、国語の教科書に記載された内容が表示される例である。
また、図１に示すように、第１の液晶表示パネル４には、画面上の加工（マーキングなど）した文章を保存するときに押される保存ボタン１４と、画面上の文章を反転（マーキング）するときに押される反転ボタン１５と、保存文章を呼び出す等の諸設定を行うときに押されるメニューボタン１６と、読みたい科目の教科用図書データを呼び出すときに押される科目名ボタン１９と、学年別に読みたい教科用図書データを呼び出すときに押される学年別フォルダボタン２０と、第１のページ大変更手段１０と同じ機能を有する第１のページ大変更ボタン１０Ａとが表示されており、また、第２の液晶表示パネル５には、第２のページ大変更手段１１と同じ機能を有する第２のページ大変更ボタン１１Ａと、国語の科目名ボタン１９が押されて国語の教科用図書データから呼び出された国語の教科書の内容とが表示されている。
【００２１】
ここで、図１の例では、小学校の１年生から６年生までしか学年別フォルダボタンが表示されていないが、中学１年生から中学３年生までや、高校１年生から高校３年生までの学年別フォルダボタンが表示され、それぞれの学年で使用される教科用図書のデータが本発明の電子書籍に格納されていてもよい。
【００２２】
図２は、本発明の電子書籍を折畳んだ状態の一例を説明する概略図であり、図２（ａ）は、折畳んだ状態の電子書籍の上側から電子書籍を見た場合の概略図であり、図２（ｂ）は、折畳んだ状態の電子書籍の下側から電子書籍を見た場合の概略図である。
図２（ａ）に示すように、第２の本体３の上側には、電源のオン及びオフを行う電源スイッチ１７が設けられており、図２（ｂ）に示すように、第２の本体３の下側には、電力やデータ等を入力するための入力端子２１が設けられている。
【００２３】
使用者が、例えば５年生で使われる教科書の内容を見たいときには、第１の液晶表示パネル４に表示された学年別フォルダボタン２０のうち「５年生」の領域を指などで押す。すると、５年生で使われる教科書の科目名が科目名ボタン１９に表示され、具体的に見たい科目の科目名ボタン１９を指などで押すと、第２の液晶表示パネル５に選んだ科目の教科書の冒頭の内容が表示される。
また、第１の液晶表示パネル４及び第２の液晶表示パネル５はそれぞれタッチパネル形式で操作可能に構成されているので、第１の液晶表示パネル４及び第２の液晶表示パネル５に表示された文章のうち、目立たせた文章があれば、指などでその文章をなぞりながら範囲を指定し、反転ボタン１５を押せば、その範囲だけ色が反転し、強調される。そして、保存ボタン１４を押せば、反転した状態でその科目の教科用図書データが保存される。
【００２４】
以上のように、本発明の電子書籍１は、第１の把持領域８に近接する位置に、第１の液晶表示パネル４によって表示される例えば第１ページを第３ページに変更すると共に、第２の液晶表示パネル５によって表示される第２ページを第４ページに変更する第１のページ大変更手段１０が設けられ、第２の把持領域９に近接すると共に、第２の横側領域７Ａのうち、第１の把持領域８に対する第１のページ大変更手段１０の位置と同じ側即ち第２の把持領域９よりも上側に、第１の液晶表示パネル４によって表示される例えば第３ページを第１ページに変更すると共に、第２の液晶表示パネル５によって表示される第４ページを第２ページに変更する第２のページ大変更手段１１が設けられるので、使用者は、第１の把持領域８及び第２の把持領域９を把持しながら、例えば親指で、第１のページ大変更手段及び第２のページ大変更手段を操作することができ、よって、一方の手で把持しながら他方の手でページめくり操作を行う必要はなく、例えば低学年の児童のように比較的力の弱い者でも、両手で電子書籍を把持して、ページめくり動作を行ない易い。
【００２５】
また、第１の下側領域６Ｂに、第１の液晶表示パネル４によって表示される例えば第１ページを第２ページに変更すると共に、第２の液晶表示パネル５によって表示される第２ページを第３ページに変更する第１のページ小変更手段１２が設けられ、第２の下側領域７Ｂに、第１の液晶表示パネル４によって表示される第３ページを第２ページに変更すると共に、第２の液晶表示パネル５によって表示される第４ページを第３ページに変更する第２のページ小変更手段１３が設けられるので、使用者は、第１の把持領域及び第２の把持領域を把持しながら、例えば親指で、第１のページ小変更手段及び第２のページ小変更手段を操作することができると共に、印刷物の書籍であれば一つの紙の両面それぞれに印刷されているページでも、第１の情報表示手段と第２の情報表示手段とに並べて表示できるので、見やすくなる。特に、問題文のように読み返されることが多い文章が、第１の情報表示手段と第２の情報表示手段とに並べて表示されれば、非常に見やすくなる。
【符号の説明】
【００２６】
１    電子書籍
２    第１の本体
３    第２の本体
４    第１の液晶表示パネル
５    第２の液晶表示パネル
６    第１の枠領域
６Ａ  第１の横側領域
６Ｂ  第１の下側領域
７    第２の枠領域
７Ａ  第２の横側領域
７Ｂ  第２の下側領域
７Ｃ  第２の上側領域
８    第１の把持領域
９    第２の把持領域
１０    第１のページ大変更手段
１０Ａ  第１のページ大変更ボタン
１１    第２のページ大変更手段
１１Ａ  第２のページ大変更ボタン
１２    第１のページ小変更手段
１３    第２のページ小変更手段
１４    保存ボタン
１５    反転ボタン
１６    メニューボタン
１７    電源スイッチ
１８    ヒンジ部
１９    科目名ボタン
２０    学年別フォルダボタン
２１    入力端子
【図１】
2010256963.tif 000003
【図２】
2010256963.tif 000004
【図３】
2010256963.tif 000005